(57)【要約】【課題】吸収性物品における香気のムラを抑制し、吸収性物品全体として均一に香気を放出可能な吸収性物品の包装体を提供する。【解決手段】吸収性物品の包装体（１）は、吸収コアを有する吸収性物品（１０）と、吸収性物品を収容する包装袋（２０）と、香料を有し、香気を放出する香り部材（７０）と、を有する。吸収性物品は、香り部材と共に包装袋内に収容されており、香り部材に対して相対的に移動可能に配置されている。【選択図】図２
2020099439.tif 000002
【特許請求の範囲】
【請求項１】
吸収コアを有する吸収性物品と、
前記吸収性物品を収容する包装袋と、
香料を有し、香気を放出する香り部材と、を有する吸収性物品の包装体であって、
前記吸収性物品は、前記香り部材と共に前記包装袋内に収容されており、前記香り部材に対して相対的に移動可能に配置されている、吸収性物品の包装体。
【請求項２】
前記香り部材は、前記包装袋の内面に対して相対的に移動可能に配置されている、請求項１に記載の吸収性物品の包装体。
【請求項３】
前記香り部材は、前記香料を有する香料本体と、前記香料本体を収容する被覆部材と、を有し、
前記被覆部材には、前記香料の香気を放出する穴部が形成されており、
前記香料本体の重量は、前記香り部材全体の重量に対する５０％以下である、請求項１又は請求項２に記載の吸収性物品の包装体。
【請求項４】
前記香り部材は、前記香料を有する香料本体を有し、
前記吸収コアは、銀イオンを含有する高吸収性ポリマーを有し、
前記香料本体の重量は、前記高吸収性ポリマーの重量に対する５％以下である、請求項１から請求項３のいずれか１項に記載の吸収性物品の包装体。
【請求項５】
前記香り部材は、前記香料を有する香料本体を有し、
前記吸収性物品は、前記吸収性物品を構成する構成部材同士を接着するホットメルト接着剤を有しており、
前記香料本体の重量は、前記ホットメルト接着剤の重量に対する５０％以下である、請求項１から請求項４のいずれか１項に記載の吸収性物品の包装体。
【請求項６】
前記吸収性物品は、前記吸収性物品の非肌面を構成する非肌面シートを有し、
前記非肌面シートは、坪量が８ｇ以上の不織布を有する、請求項１から請求項５のいずれか１項に記載の吸収性物品の包装体。
【請求項７】
前記非肌面シートの肌面側かつ前記吸収コアの非肌面側には、フィルムからなる第２非肌面シートが設けられており、
前記吸収性物品は、肌面側を内側にして折り畳まれた状態で前記包装袋に収容されており、
前記折り畳まれた状態における前記吸収性物品の外面には、前記非肌面シートが配置されている、請求項６に記載の吸収性物品の包装体。
【請求項８】
前記香り部材の外面の摩擦係数は、前記非肌面シートの摩擦係数よりも低い、請求項６又は請求項７に記載の吸収性物品の包装体。
【発明の詳細な説明】
【技術分野】
【０００１】
本発明は、香気を放出できる吸収性物品を有する吸収性物品の包装体に関する。
【背景技術】
【０００２】
特許文献１から特許文献３には、香気を放出できる吸収性物品が開示されている。特許文献１の吸収性物品は、吸収体に香料を配置している。特許文献２の吸収性物品は、剥離シートに香料を配置している。特許文献３の吸収性物品は、吸収性物品を個別に包装する個包装シートに香料を配置している。
【先行技術文献】
【特許文献】
【０００３】
【特許文献１】特開２０１７−２１７号公報
【特許文献２】特開２００７−２５２８８６号公報
【特許文献３】特開２００６−２８８９８２号公報
【発明の概要】
【発明が解決しようとする課題】
【０００４】
しかし、特許文献１の吸収性物品は、吸収体から放出する香気を強くできるが、吸収体以外から放出される香気が弱くなりやすい。また、特許文献２の吸収性物品は、剥離シートを剥がした状態において、剥離シートと対向する領域から放出する香気を強くできるが、当該領域以外から放出される香気が弱くなりやすい。特許文献３の吸収性物品も、同様に、個包装シートを剥がした状態において、個包装シートと対向する領域から放出する香気を強くできるが、当該領域以外から放出される香気が弱くなりやすい。すなわち、特許文献１から３の吸収性物品は、香気が強く放出される領域と香気が弱く放出される領域ができ、香気のムラがあった。
【０００５】
よって、吸収性物品における香気のムラを抑制し、吸収性物品全体として均一に香気を放出可能な吸収性物品の包装体を提供する。
【課題を解決するための手段】
【０００６】
一態様に係る吸収性物品の包装体は、吸収コアを有する吸収性物品と、前記吸収性物品を収容する包装袋と、香料を有し、香気を放出する香り部材と、を有する吸収性物品の包装体であって、前記吸収性物品は、前記香り部材と共に前記包装袋内に収容されており、前記香り部材に対して相対的に移動可能に配置されている。
【図面の簡単な説明】
【０００７】
【図１】実施の形態に係る吸収性物品の包装体の斜視図である。
【図２】吸収性物品の包装体のＡ−Ａ断面に沿った断面図である。
【図３】吸収性物品の展開平面図である。
【図４】吸収性物品のＢ−Ｂ断面に沿った断面図である。
【図５】実施の形態に係る香り部材を示した図である。
【０００８】
（１）実施形態の概要
本明細書及び添付図面の記載により、少なくとも以下の事項が明らかとなる。
一態様に係る吸収性物品の包装体は、吸収コアを有する吸収性物品と、前記吸収性物品を収容する包装袋と、香料を有し、香気を放出する香り部材と、を有する吸収性物品の包装体であって、前記吸収性物品は、前記香り部材と共に前記包装袋内に収容されており、前記香り部材に対して相対的に移動可能に配置されている。
【０００９】
香り部材と吸収性物品は、包装袋内に配置されており、香り部材から放出される香気によって吸収性物品が賦香される。吸収性物品は、香り部材に対して相対的に移動可能に構成されており、吸収性物品と香り部材が一体化した形態と比較して、香り部材によって局所的に賦香され難い。吸収性物品全体に亘って同程度で賦香し易くなり、香気のムラを抑制できる。
【００１０】
好ましい一態様によれば、前記香り部材は、前記包装袋の内面に対して相対的に移動可能に配置されてよい。
【００１１】
本態様によれば、包装袋内で香り部材が移動可能であり、吸収性物品の流通時等において包装体が振動した際に、香り部材が包装袋内を移動し、吸収性物品全体に亘って同程度で賦香でき、香気のムラを抑制できる。
【００１２】
好ましい一態様によれば、前記香り部材は、前記香料を有する香料本体と、前記香料本体を収容する被覆部材と、を有し、前記被覆部材には、前記香料の香気を放出する穴部が形成されており、前記香料本体の重量は、前記香り部材全体の重量に対する５０％以下であってよい。
【００１３】
本態様によれば、被覆部材を介して香料本体の香気が放出されるため、香料本体のみからなる構成と比較して、香気を放出する面積が広くなり、吸収性物品が局所的に賦香されにくく、香気のムラを抑制できる。また、香料本体の重量が５０％以下であるため、吸収性物品が賦香され過ぎることを抑制できる。
【００１４】
好ましい一態様によれば、前記香り部材は、前記香料を有する香料本体を有し、前記吸収コアは、銀イオンを含有する高吸収性ポリマーを有し、前記香料本体の重量は、前記高吸収性ポリマーの重量に対する５％以下であってよい。
【００１５】
本態様によれば、香料本体の重量が高吸収性ポリマーの重量の５％以下であるため、消臭機能を阻害し難い。よって、高吸収性ポリマーの銀イオンによる消臭機能を発揮しつつ香気を付与できる。
【００１６】
好ましい一態様によれば、前記香り部材は、前記香料を有する香料本体を有し、前記吸収性物品は、前記吸収性物品を構成する構成部材同士を接着するホットメルト接着剤を有しており、前記香料本体の重量は、前記ホットメルト接着剤の重量に対する５０％以下であってよい。
【００１７】
本態様によれば、香料の成分によっては、ホットメルト接着剤の成分が変性するおそれがある。しかし、香料重量が高吸収性ポリマーの重量の５０％以下であるため、香料がホットメルト接着剤の成分を変性させることを抑制し、ホットメルト接着剤を保護できる。
【００１８】
好ましい一態様によれば、前記吸収性物品は、前記吸収性物品の非肌面を構成する非肌面シートを有し、前記非肌面シートは、坪量が８ｇ以上の不織布を有してよい。
【００１９】
本態様によれば、坪量が８ｇ以上の不織布からなる非肌面シートは、地合ムラが生じ難く、全体に亘って賦香され易い。また、不織布からなる非肌面シートは、フィルムからなる非肌面シートと比較して、非肌面シートが賦香されやすい。よって、吸収性物品と別体の香り部材を用いても、吸収性物品によって香気を保持できる。
【００２０】
好ましい一態様によれば、前記非肌面シートの肌面側かつ前記吸収コアの非肌面側には、フィルムからなる第２非肌面シートが設けられており、前記吸収性物品は、肌面側を内側にして折り畳まれた状態で前記包装袋に収容されており、前記折り畳まれた状態における前記吸収性物品の外面には、前記非肌面シートが配置されてよい。
【００２１】
本態様によれば、吸収性物品は、折り畳まれた状態で包装袋に収容されており、その外面を構成する非肌面シートが賦香され易い。このとき、非肌面シートと吸収コアの間にフィルムを有する第２非肌面シートが配置され、香気が第２非肌面シートを通過し難いため、第２非肌面シートよりも外側に位置する非肌面シートが賦香されやすい。非肌面シートは、一般的に吸収コアよりも坪量が低いため、局所的に香気を保持し難く、全体で香気を保持しやすくなる。
【００２２】
好ましい一態様によれば、前記香り部材の外面の摩擦係数は、前記非肌面シートの摩擦係数よりも低くてよい。
【００２３】
本態様によれば、包装袋内で吸収性物品よりも香り部材が移動し易く、包装袋内に収容された吸収性物品全体を香り部材によって賦香し易い。
【００２４】
（２）吸収性物品の包装体の構成
以下、図面を参照して、実施形態に係る吸収性物品の包装体について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２５】
図１は、実施形態に係る吸収性物品の包装体１の斜視図であり、図２は、図１に示すＡ−Ａ線に沿った断面図である。吸収性物品の包装体１（以下、包装体１とする）は、吸収性物品１０と、吸収性物品１０を包装する包装袋２０と、香り部材７０と、を有する。
【００２６】
包装袋２０内の空間に、吸収性物品１０と香り部材７０が収容されている。包装袋２０内に、１個の吸収性物品１０が収容されていてもよいし、複数の吸収性物品が収容されていてもよい。吸収性物品１０は、複数回折り畳まれた状態で、包装袋２０内に収容されてよい。複数の吸収性物品１０は、包装袋２０内に厚さ方向Ｔに積層されてよい。包装袋２０は、フィルムによって構成されてよく、吸収性物品１０を密封してよい。吸収性物品１０としては、例えば、使い捨ておむつ、生理用ナプキン、失禁パッド、パンティライナーを例示できる。
【００２７】
図３は、吸収性物品１０の展開平面図であり、図４は、図３に示すＢ−Ｂ断面である。本実施の形態の吸収性物品１０は、大人用の使い捨ておむつである。吸収性物品１０は、互いに直交する前後方向Ｌ及び幅方向Ｗを有する。前後方向Ｌは、身体前側と身体後側とに延びる方向によって規定される。言い換えると、前後方向Ｌは、展開された吸収性物品１０において前後に延びる方向である。また、吸収性物品１０は、前後方向Ｌと幅方向Ｗの両方の直交する厚さ方向Ｔを有する。
【００２８】
吸収性物品１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域である。股下域Ｓ３は、着用者の股下に位置し、前胴回り域Ｓ１と後胴回り域Ｓ２との間に配置された領域である。股下域Ｓ３は、脚回り開口部１８形成された領域である。前胴回り域Ｓ１の股下域側の境界は、脚回り開口部１８の前端縁であり、後胴回り域Ｓ２の股下域側の境界は、脚回り開口部１８の後端縁である。
【００２９】
本実施形態では、吸収性物品１０は、外装体１５と、吸収性本体１１と、を有していてよい。吸収性本体１１と外装体１５は、ホットメルト接着剤によって接合されていてよい。外装体１５は、吸収性本体１１と厚さ方向に重なり、吸収性本体１１よりも非肌面側Ｔ２に配置されてよい。
【００３０】
外装体１５は、例えば不織布のようなシートから構成されていてよい。外装シートは、複数設けられていてよく、外装シート同士は、ホットメルト接着剤３０（図４参照）によって接合されてよい。外装シートのうち、最も非肌面側Ｔ２に位置する外装シートは、吸収性物品の非肌面を構成する非肌面シート１６を構成する。非肌面シート１６は、坪量８ｇ／ｍ3以上の不織布によって構成されてよい。吸収性物品１０は、外装体１５の幅方向Ｗにおける前胴回り域Ｓ１の外側部と、幅方向Ｗにおける後胴回り域Ｓ２の外側部と、を接合したサイド接合部６０が設けられて、パンツ型に成形されてよい。図３は、サイド接合部６０における接合を解除し、吸収性物品１０を展開した状態を示している。
【００３１】
なお、本発明における外側部とは、幅方向Ｗにおける外縁を含む幅方向Ｗに一定の範囲を占める部分であり、外側縁とは、幅方向Ｗにおける外縁である。本発明における内側部とは、幅方向Ｗにおける内縁を含む幅方向Ｗに一定の範囲を占める部分であり、内側縁とは、幅方向Ｗにおける内縁である。また、本発明における前端部及び後端部は、前後方向Ｌにおける縁を含む前後方向Ｌに一定の範囲を占める部分であり、前端縁及び後端縁は、前後方向Ｌにおける縁である。外端部は、前端部及び後端部を含んでおり、外端縁は、前端縁及び後端縁を含んでいる。
【００３２】
吸収性本体１１は、前胴回り域Ｓ１、後胴回り域Ｓ２及び股下域Ｓ３にわたって延びている。吸収性本体１１は、吸収コア１２、吸収コア１２よりも非肌面側Ｔ２に位置する裏面シート１４を有してよい。吸収コア１２、表面シート１３及び裏面シート１４は、ホットメルト接着剤３０によって互いに接合されていてよい。外装体１５の外装シート、吸収性本体１１を構成する表面シート１３、裏面シート１４、及び吸収コア１２等、吸収性物品を構成するすべての部材は、本発明における「吸収性物品の構成部材」を構成する。
【００３３】
表面シート１３は、液透過性のシートであり、例えば、不織布によって構成されてよい。裏面シート１４は、液不透過性のシートであり、例えば、フィルムを含んで構成されてよい。裏面シート１４は、フィルムのみによって構成されてもよいし、フィルムを含む積層シートによって構成されてよい。裏面シート１４は、非肌面シート１６の肌面側Ｔ１かつ吸収コア１２の非肌面側Ｔ２に配置されており、本発明の「第２非肌面シート」を構成する。
【００３４】
吸収コア１２は、例えば粉砕パルプ１２Ａもしくは高吸収性ポリマー（ＳＡＰ）１２Ｂ、又はこれらの混合物を含んでいてよい。吸収コア１２は、少なくとも股下域Ｓ３に配置されている。好ましくは、吸収コア１２は、前後方向Ｌにおいて、前胴回り域Ｓ１から後胴回り域Ｓ２にわたって延びていてよい。吸収コア１２は、コアラップによって覆われていてよい。高吸収性ポリマー１２Ｂは、銀イオンを含有してよい。銀イオンは、消臭機能を発揮する。
【００３５】
図５は、香り部材７０を示す図である。図５（ａ）は、平面図であり、図５（ｂ）は、図５（ａ）に示すＣ−Ｃ断面である。香り部材７０は、香り部材７０は、香料を有し、香気を放出する。香り部材７０は、香気を放出可能であればよく、その形状は限定されない。香料としては、ベルガモット、オレンジ、ローズマリー、ラベンダー、バジル、ジャスミン、ティー、モス、じゃこう（ｍｕｓｋ）、アップル、カシス、ベリー、ローズ、ミューゲ、ゼラニウム、ベッカコウ（ｔｕｂｅｒｏｓｅ）、リーフグリーン、アプリコットシード、シダーウッド、バニラ、サンダルウッドを例示してよい。
【００３６】
吸収性物品１０は、香り部材７０と共に包装袋２０内に収容されており、香り部材７０に対して相対的に移動可能に配置されている。具体的には、包装袋２０の内面２１に、吸収性物品１０及び香り部材７０が固定されずに、包装袋２０内で吸収性物品１０及び香り部材７０が移動できるように構成されてよい。また、他の形態において、包装袋２０の内面２１に、吸収性物品１０及び香り部材７０の一方が固定され、他方が固定されていなくてもよい。他の形態によっても、吸収性物品１０又は香り部材７０が包装袋２０内で移動することにより、吸収性物品が香り部材に対して移動可能となる。
【００３７】
香り部材７０と吸収性物品１０は、包装袋２０内に配置されており、香り部材７０から放出される香気によって吸収性物品１０が賦香される。吸収性物品１０は、香り部材７０に対して相対的に移動可能に構成されており、吸収性物品１０と香り部材７０が一体化した形態と比較して、香り部材７０によって局所的に賦香され難い。吸収性物品１０全体に亘って同程度で賦香し易くなり、香気のムラを抑制できる。
【００３８】
好適には、香り部材７０は、包装袋２０の内面２１に対して相対的に移動可能に配置されてよい。包装袋２０内で香り部材７０が移動可能であり、吸収性物品１０の流通時等において包装体１が振動した際に、香り部材７０が包装袋２０内を移動し、吸収性物品１０全体に亘って同程度で賦香でき、香気のムラを抑制できる。より好適には、香り部材７０と共に吸収性物品１０も、包装袋２０の内面２１に対して相対的に移動可能に配置されてよい。香り部材７０及び吸収性物品１０が包装袋２０内で移動するため、吸収性物品１０と香り部材７０の位置関係が変化し易く、香気のムラをより抑制できる。
【００３９】
香り部材７０は、香料を有する香料本体７１と、香料本体７１を収容する被覆部材７２と、を有してよい。香料本体７１は、溶媒としてのアクリルと、香料と、が混合されて生成されてよい。香料本体７１は、球体等の粒状であってよく、被覆部材７２内に複数配置されてよい。被覆部材７２は、例えば、フィルムからなり、香料本体を収容する袋状であってよく、香料の香気を放出する穴部７３が形成されてよい。穴部７３は、平面視にて間隔を空けて複数配置されてよい。被覆部材７２を介して香料本体７１の香気が放出されるため、香料本体７１のみからなる構成と比較して、香気を放出する面積が広くなり、吸収性物品１０が局所的に賦香されにくく、香気のムラを抑制できる。なお、香り部材の構成は、限定されず、他の形態において、被覆部材を備えずに、香料を染み込ませたシート等の香料本体のみによって構成されていてもよい。
【００４０】
香料本体７１の重量は、香り部材７０全体の重量に対する５０％以下であってよい。香料本体７１の重量が５０％以下であるため、吸収性物品１０が賦香され過ぎることを抑制できる。また、香料本体７１の重量は、香り部材７０全体の重量に対する１０％以上であってよい。香料本体７１の重量が香り部材７０全体の重量に対する１０％以上であることにより、被覆部材７２によって香料本体７１が覆われていても、香気を放出し易い。
【００４１】
香料本体７１の重量は、高吸収性ポリマー１２Ｂの重量に対する５％以下であってよい。このような構成によれば、香料本体７１の重量が高吸収性ポリマー１２Ｂの重量の５％以下であるため、消臭機能を阻害し難い。よって、高吸収性ポリマー１２Ｂの銀イオンによる消臭機能を発揮しつつ香気を付与できる。また、香料本体７１の重量は、高吸収性ポリマー１２Ｂの重量に対する０．１％以上であってよい。香料本体７１の重量が高吸収性ポリマー１２Ｂの重量に対する０．１％以上であることにより、吸収性物品に十分に香気を付与することができる。
【００４２】
香料本体７１の重量は、ホットメルト接着剤３０の重量に対する５０％以下であってよい。香料の成分によっては、ホットメルト接着剤３０の成分が変性するおそれがある。しかし、香料の重量が高吸収性ポリマーの重量の５０％以下であるため、ホットメルト接着剤３０の成分が香料によって変性されることを抑制し、ホットメルト接着剤３０を保護できる。また、香料本体７１の重量は、ホットメルト接着剤３０の重量に対する１０％以上であってよい。香料本体７１の重量がホットメルト接着剤３０の重量に対する１０％以上であることにより、吸収性物品に十分に香気を付与することができる。
【００４３】
なお、本発明における重量の測定は、自然状態において測定できる。ここで、自然状態とは、パッケージに収容されている吸収性物品にあっては、パッケージから吸収性物品を取り出し、２０℃±２℃、相対湿度６０％±５％ＲＨの雰囲気下において２４時間放置した状態である。具体的には、自然状態において香り部材の重量を測定した後に、被覆部材を開封し、香料本体を取り出し、香料本体の重量を測定する。また、高吸収性ポリマーの重量は、吸収性物品を展開し、吸収コア以外の部材（表面シート等）を取り除いた後に、高吸収性ポリマーと、それ以外（パルプ）と、に分離し、高吸収性ポリマーを測定する。ホットメルト接着剤は、ホットメルト接着剤の坪量と、面積と、を測定し、当該坪量と面積に基づいて算出する。
【００４４】
吸収性物品１０の非肌面シート１６は、坪量が８ｇ以上の不織布を有してよい。坪量が８ｇ以上の不織布からなる非肌面シート１６は、地合ムラが生じ難く、全体に亘って賦香され易い。また、不織布からなる非肌面シート１６は、フィルムからなる非肌面シートと比較して、非肌面シートが賦香されやすい。よって、吸収性物品１０と別体の香り部材７０を用いても、吸収性物品１０によって香気を保持できる。
【００４５】
吸収性物品１０は、肌面側Ｔ１を内側にして折り畳まれた状態で包装袋２０に収容されてよい。折り畳まれた状態における吸収性物品の外面には、非肌面シート１６が配置されており、非肌面シート１６の内側（肌面側）には、第２非肌面シートを構成する裏面シート１４が配置されてよい。吸収性物品は１０、折り畳まれた状態で包装袋２０に収容されており、その外面を構成する非肌面シート１６が賦香され易い。このとき、非肌面シート１６と吸収コア１２の間にフィルムを有する裏面シート１４が配置され、香気が裏面シート１４を通過し難いため、裏面シート１４よりも外側に位置する非肌面シート１６が賦香されやすくなる。非肌面シート１６は、一般的に吸収コア１２よりも坪量が低いため、局所的に香気を保持し難く、全体で香気を保持しやすくなる。
【００４６】
香り部材７０の外面の摩擦係数は、非肌面シート１６の摩擦係数よりも低くてよい。包装袋２０内で吸収性物品１０よりも香り部材７０が移動し易く、包装袋２０内に収容された吸収性物品１０全体を香り部材７０によって賦香し易い。好適には、包装袋２０の内面２１の摩擦係数は、香り部材７０の外面の摩擦係数よりも低く、かつ非肌面シート１６の摩擦係数よりも低くてよい。包装袋２０内で、吸収性物品１０及び香り部材７０がより移動し易くなり、吸収性物品１０全体を賦香し易くなる。
【００４７】
摩擦係数の測定は、シートの表面の感触を表す特性値として一般的に知られている、カトーテック株式会社製のＫＥＳでの特性値（参考文献：風合い評価の標準化と解析（第２版）、著者  川端季雄  発行  昭和５５年７月１０日）に基づいて測定できる。 具体的には、カトーテック（株）製ＫＥＳ−ＦＢ４を用いて、各サンプルにおいて１．０×１．０ｃｍの範囲を試料とし、平滑な金属平面の試験台に配置して行った。摩擦係数の測定は、０．５ｍｍ径のピアノ線を１０本並べた接触子に重錘によって５０ｇｆの力を加えて接触子の接触面を試料に圧着させた。試料を０．１ｃｍ／ｓｅｃの速度で水平に２ｃｍ移動させ、試料には２０ｇｆ／ｃｍの一軸張力を与えた。各試料で直交する２方向のそれぞれについて特性値を測定し、その平均を求めた。
【００４８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００４９】
吸収性物品における香気のムラを抑制し、吸収性物品全体として均一に香気を放出可能な吸収性物品の包装体を提供できる。
【符号の説明】
【００５０】
１    ：吸収性物品の包装体
１０  ：吸収性物品
１１  ：吸収性本体
１２  ：吸収コア
１２Ｂ  ：高吸収性ポリマー（ＳＡＰ）
１３  ：表面シート
１４  ：裏面シート（第２非肌面シート）
１５  ：外装体
１６  ：非肌面シート
２０  ：包装袋
２１  ：包装袋の内面
３０  ：ホットメルト接着剤
７０  ：香り部材
７１  ：香料本体
７２  ：被覆部材
７３  ：穴部
【図１】
2020099439.tif 000003
【図２】
2020099439.tif 000004
【図３】
2020099439.tif 000005
【図４】
2020099439.tif 000006
【図５】
2020099439.tif 000007